(57)【要約】【課題】テレビ受像機、デジタル放送受信可能な携帯電話端末、デジタルオーディオ機器、ボイスレコーダ機器等において、聞き返し操作を行った場合に音声情報を聞き逃しにくくなるコンテンツ再生装置を提供する。【解決手段】音響信号復号部１０４が生成した音響信号の再生速度を変換できる再生速度変換部１０５と、ユーザ操作などの状況から適切な再生速度比を算出し再生速度変換部１０５に対して再生速度を指示するコントロール部１０３とを有し、コントロール部１０３は、再生速度変換部１０５がコンテンツデータを適当な速度で再生している最中に操作部１０２で聞き返し操作があった場合、再生速度変換部１０５に対して戻った時点からはこれまでの再生速度より遅い速度で再生するよう指示し、聞き返し操作を行った時刻まで再生を行ったら元の速度で再生するよう指示する。【選択図】図１
2010002841.tif 000002
【特許請求の範囲】
【請求項１】
音響信号を記憶する記憶手段と、
前記記憶手段に記憶された前記音響信号を再生する再生手段と、
前記再生手段に前記音響信号の再生を指示する操作手段と、
前記音響信号の再生速度を変換する再生速度変換手段と、を備え、
前記再生手段は、前記音響信号を第１の再生速度で再生しているときに、前記操作手段から所定時間前に戻って再生する指示があった場合、戻った時点からは前記再生速度変換手段により前記第１の再生速度より遅い第２の再生速度に変換された音響信号を再生するコンテンツ再生装置。
【請求項２】
前記再生手段は、前記操作手段からの指示で所定時間前から前記第２の再生速度で再生を行う場合で、前記音響信号の再生位置が前記操作手段からの指示があった時刻に達した場合、前記再生速度変換手段により前記第１の再生速度に変換された音響信号を再生する請求項１に記載のコンテンツ再生装置。
【請求項３】
前記再生速度変換手段は、前記音響信号の再生位置が前記操作手段からの指示があった時刻に達した時点で、再生速度が前記第２の再生速度から前記第１の再生速度に徐々に遷移するよう音響信号を変換する請求項２に記載のコンテンツ再生装置。
【請求項４】
前記再生速度変換手段は、前記操作手段から前記音響信号の再生中に所定時間前に戻って再生する指示があった場合、再生位置の変化量に応じて再生速度変換値を変更する請求項１乃至請求項３のいずれかに記載のコンテンツ再生装置。
【請求項５】
前記再生速度変換手段は、前記音響信号の再生中に同じ箇所で複数回所定時間前に戻って再生する指示があった場合、当該指示の回数に応じて再生速度変換値を変更する請求項１乃至請求項４のいずれかに記載のコンテンツ再生装置。
【請求項６】
音響信号を記憶する記憶手段と、
前記記憶手段に記憶された前記音響信号を再生する再生手段と、
前記再生手段に前記音響信号の再生を指示する操作手段と、
前記音響信号の周波数特性を変換する周波数特性変換手段と、を備え、
前記再生手段は、前記音響信号を第１の周波数特性で再生しているときに、前記操作手段から所定時間前に戻って再生する指示があった場合、戻った時点からは前記周波数特性変換手段により前記第１の周波数特性とは異なった第２の周波数特性に変換された音響信号を再生するコンテンツ再生装置。
【請求項７】
前記再生手段は、前記操作手段からの指示で所定時間前から前記第２の周波数特性で再生を行う場合で、前記音響信号の再生位置が前記操作手段からの指示があった時刻に達した場合、前記周波数特性変換手段により前記第１の周波数特性に変換された音響信号を再生する請求項６に記載のコンテンツ再生装置。
【請求項８】
前記周波数特性変換手段は、前記音響信号の再生位置が前記操作手段からの指示があった時刻に達した時点で、周波数特性が前記第２の周波数特性から前記第１の周波数特性に徐々に遷移するよう音響信号を変換する請求項７に記載のコンテンツ再生装置。
【請求項９】
前記周波数特性変換手段は、前記操作手段から前記音響信号の再生中に同じ箇所で複数回所定時間前に戻って再生する指示があった場合、当該指示の回数に応じて周波数特性の変更量を変える請求項６又は請求項８に記載のコンテンツ再生装置。
【請求項１０】
音響信号を記憶する記憶手段と、
前記記憶手段に記憶された前記音響信号を再生する再生手段と、
前記再生手段に前記音響信号の再生を指示する操作手段と、
前記音響信号の音量を変換する音量変換手段と、を備え、
前記再生手段は、前記音響信号を第１の音量で再生しているときに、前記操作手段から所定時間前に戻って再生する指示があった場合、戻った時点からは前記音量変換手段により前記第１の音量とは異なる第２の音量に変換された音響信号を再生するコンテンツ再生装置。
【請求項１１】
前記再生手段は、前記操作手段からの指示で所定時間前から前記第２の音量で再生を行う場合で、前記音響信号の再生位置が前記操作手段からの指示があった時刻に達した場合、前記音量変換手段により前記第１の音量に変更された音響信号を再生する請求項１０に記載のコンテンツ再生装置。
【請求項１２】
前記音量変換手段は、前記音響信号の再生位置が前記操作手段からの指示があった時刻に達した時点で、音量が前記第２の音量から前記第１の音量に徐々に遷移するよう音響信号を変換する請求項１１に記載のコンテンツ再生装置。
【請求項１３】
前記音量変換手段は、前記操作手段から前記音響信号の再生中に同じ箇所で複数回所定時間前に戻って再生する指示があった場合、当該指示の回数に応じて音量の変更量を変える請求項１１又は請求項１２に記載のコンテンツ再生装置。
【請求項１４】
音響信号と画像信号と字幕信号が多重化されたコンテンツデータを記憶するコンテンツデータ記憶手段と、
前記コンテンツデータ記憶手段に記憶された前記コンテンツデータを再生する再生手段と、
前記再生手段に前記コンテンツデータの再生を指示する操作手段と、
前記画像信号と前記字幕信号を合成する画像合成手段と、を備え、
前記再生手段は、前記コンテンツデータを字幕なしで再生しているときに、前記操作手段から所定時間前に戻って再生する指示があった場合、戻った時点からは前記画像合成手段により前記画像信号と前記字幕信号とが合成された字幕付きのコンテンツデータを再生するコンテンツ再生装置。
【請求項１５】
前記再生手段は、前記操作手段からコンテンツデータ再生中に同じ箇所で複数回所定時間前に戻って再生する指示があった場合、画像の表示方法が変更されたコンテンツデータを再生する請求項１４に記載のコンテンツ再生装置。
【請求項１６】
前記再生手段は、前記操作手段からの指示で所定時間前に戻って、表示されていなかった字幕を表示して再生を行う場合で、前記コンテンツデータの再生位置が前記操作手段からの指示があった時刻に達した場合、前記画像合成手段による字幕信号の合成を停止する請求項１４又は請求項１５に記載のコンテンツ再生装置。
【請求項１７】
前記再生手段は、前記操作手段から字幕表示を行っているときでコンテンツデータ再生中に所定時間前に戻って再生する指示があった場合、字幕表示方法が変更されたコンテンツデータを再生する請求項１４乃至請求項１６のいずれかに記載のコンテンツ再生装置。
【請求項１８】
前記再生手段は、前記操作手段からコンテンツデータ再生中に同じ箇所で複数回所定時間前に戻って再生する指示があった場合、字幕表示方法が変更されたコンテンツデータを再生する請求項１４乃至請求項１７のいずれかに記載のコンテンツ再生装置。
【発明の詳細な説明】
【技術分野】
【０００１】
本発明は、ビットストリームとして連続的に現れる符号化された音響信号を入力し再生するためのコンテンツ再生装置に関する。
【背景技術】
【０００２】
例えばデジタルテレビ録画機、デジタルオーディオ機器、ボイスレコーダ機器のようなデジタル機器においては、特に会話や台詞などの音声情報を聞き逃した場合に巻き戻し操作を行い、聞き逃した部分を再度再生するという聞き返し操作方法が考えられる。また、この一連の操作を簡単に行えるように、例えば一度特定のキーを押下するとコンテンツの数秒前に自動的に戻り再生を行う機器（例えば、特許文献１参照）や音声入力による戻り再生を可能にした機器も具現化されている（例えば、特許文献２参照）。
【０００３】
また、先に述べたデジタルテレビ録画機、デジタルオーディオ機器、ボイスレコーダ機器においては、音程を変換せずに再生速度を変換する機能を搭載しているものもある。この機能は、主にコンテンツを速く聴取したい場合に用いられるが、再生速度が速くなるため情報の聞き逃しが発生する可能性が高くなることが容易に想像できる。
【０００４】
【特許文献１】特開２００３−２３６０７号公報
【特許文献２】特開平１０−３２１７６号公報
【発明の開示】
【発明が解決しようとする課題】
【０００５】
しかしながら、コンテンツに含まれている音声情報が、音量が小さいなど元々聞き取りにくい場合は、単に聞き返し操作を行ってもまた音声情報を聞き逃す可能性が高い。また、コンテンツの再生速度を速くして再生している状況で音声情報を聞き逃した場合、聞き返し操作を行ってもコンテンツ再生速度が速いままでは再び音声情報を聞き逃す可能性が高い。
【０００６】
本発明は、かかる事情に鑑みてなされたものであり、聞き返し操作を行った場合に音声情報を聞き逃しにくくなるコンテンツ再生装置を提供することを目的とする。
【課題を解決するための手段】
【０００７】
上記目的を達成するために、本発明の第１のコンテンツ再生装置は、音響信号を記憶する記憶手段と、前記記憶手段に記憶された前記音響信号を再生する再生手段と、前記再生手段に前記音響信号の再生を指示する操作手段と、前記音響信号の再生速度を変換する再生速度変換手段と、を備え、前記再生手段は、前記音響信号を第１の再生速度で再生しているときに、前記操作手段から所定時間前に戻って再生する指示があった場合、戻った時点からは前記再生速度変換手段により前記第１の再生速度より遅い第２の再生速度に変換された音響信号を再生する。
【０００８】
この構成により、例えば音響信号を一倍速よりも速い速度に変換して鳴動している最中に聞き返し操作が有った場合、聞き返し中はこれまでの再生速度より遅い速度で再生する機能が実現可能となる。
【０００９】
また、上記第１のコンテンツ再生装置において、前記再生手段は、前記操作手段からの指示で所定時間前から前記第２の再生速度で再生を行う場合で、前記音響信号の再生位置が前記操作手段からの指示があった時刻に達した場合、前記再生速度変換手段により前記第１の再生速度に変換された音響信号を再生する。
【００１０】
この構成により、聞き返し部分が終了したらそれまで聴取していた再生速度に戻る機能が実現可能となる。
【００１１】
また、上記第１のコンテンツ再生装置において、前記再生速度変換手段は、前記音響信号の再生位置が前記操作手段からの指示があった時刻に達した時点で、再生速度が前記第２の再生速度から前記第１の再生速度に徐々に遷移するよう音響信号を変換する。
【００１２】
この構成により、聞き返し部分が終了したらそれまで聴取していた再生速度に戻る際に徐々に当該再生速度に戻す機能が実現可能となる。
【００１３】
また、上記第１のコンテンツ再生装置において、前記再生速度変換手段は、前記操作手段から前記音響信号の再生中に所定時間前に戻って再生する指示があった場合、再生位置の変化量に応じて再生速度変換値を変更する。
【００１４】
この構成により、聞き返すための戻り時間の長さに応じて再生速度変換値を変える機能が実現可能となる。
【００１５】
また、上記第１のコンテンツ再生装置において、前記再生速度変換手段は、前記音響信号の再生中に同じ箇所で複数回所定時間前に戻って再生する指示があった場合、当該指示の回数に応じて再生速度変換値を変更する。
【００１６】
この構成により、聞き返し操作の回数に応じて再生速度変換値を変える機能が実現可能となる。
【００１７】
また、本発明の第２のコンテンツ再生装置は、音響信号を記憶する記憶手段と、前記記憶手段に記憶された前記音響信号を再生する再生手段と、前記再生手段に前記音響信号の再生を指示する操作手段と、前記音響信号の周波数特性を変換する周波数特性変換手段と、を備え、前記再生手段は、前記音響信号を第１の周波数特性で再生しているときに、前記操作手段から所定時間前に戻って再生する指示があった場合、戻った時点からは前記周波数特性変換手段により前記第１の周波数特性とは異なった第２の周波数特性に変換された音響信号を再生する。
【００１８】
この構成により、例えば音響信号を再生中に聞き返し操作が有った場合、聞き返し中はこれまでとは異なった、例えば音声帯域を強調するような周波数特性で再生する機能が実現可能となる。
【００１９】
また、上記第２のコンテンツ再生装置において、前記再生手段は、前記操作手段からの指示で所定時間前から前記第２の周波数特性で再生を行う場合で、前記音響信号の再生位置が前記操作手段からの指示があった時刻に達した場合、前記周波数特性変換手段により前記第１の周波数特性に変換された音響信号を再生する。
【００２０】
この構成により、聞き返し部分が終了したらそれまで聴取していた周波数特性に戻る機能が実現可能となる。
【００２１】
また、上記第２のコンテンツ再生装置において、前記周波数特性変換手段は、前記音響信号の再生位置が前記操作手段からの指示があった時刻に達した時点で、周波数特性が前記第２の周波数特性から前記第１の周波数特性に徐々に遷移するよう音響信号を変換する。
【００２２】
この構成により、聞き返し部分が終了したらそれまで聴取していた周波数特性に戻る際に徐々に当該周波数特性に戻す機能が実現可能となる。
【００２３】
また、上記第２のコンテンツ再生装置において、前記周波数特性変換手段は、前記操作手段から前記音響信号の再生中に同じ箇所で複数回所定時間前に戻って再生する指示があった場合、当該指示の回数に応じて周波数特性の変更量を変える。
【００２４】
この構成により、聞き返し操作の回数に応じて周波数特性の変更量を変える機能が実現可能となる。
【００２５】
また、本発明の第３のコンテンツ再生装置は、音響信号を記憶する記憶手段と、前記記憶手段に記憶された前記音響信号を再生する再生手段と、前記再生手段に前記音響信号の再生を指示する操作手段と、前記音響信号の音量を変換する音量変換手段と、を備え、
前記再生手段は、前記音響信号を第１の音量で再生しているときに、前記操作手段から所定時間前に戻って再生する指示があった場合、戻った時点からは前記音量変換手段により前記第１の音量とは異なる第２の音量に変換された音響信号を再生する。
【００２６】
この構成により、例えば音響信号を再生中に聞き返し操作が有った場合、聞き返し中はこれまでよりも大きい音量で再生する機能が実現可能となる。
【００２７】
また、上記第３のコンテンツ再生装置において、前記再生手段は、前記操作手段からの指示で所定時間前から前記第２の音量で再生を行う場合で、前記音響信号の再生位置が前記操作手段からの指示があった時刻に達した場合、前記音量変換手段により前記第１の音量に変更された音響信号を再生する。
【００２８】
この構成により、聞き返し部分が終了したらそれまで聴取していた音量に戻る機能が実現可能となる。
【００２９】
また、上記第３のコンテンツ再生装置において、前記音量変換手段は、前記音響信号の再生位置が前記操作手段からの指示があった時刻に達した時点で、音量が前記第２の音量から前記第１の音量に徐々に遷移するよう音響信号を変換する。
【００３０】
この構成により、聞き返し部分が終了したらそれまで聴取していた音量に戻る際に徐々に当該音量に戻す機能が実現可能となる。
【００３１】
また、上記第３のコンテンツ再生装置において、前記音量変換手段は、前記操作手段から前記音響信号の再生中に同じ箇所で複数回所定時間前に戻って再生する指示があった場合、当該指示の回数に応じて音量の変更量を変える。
【００３２】
この構成により、聞き返し操作の回数に応じて音量の変更量を変える機能が実現可能となる。
【００３３】
また、本発明の第４のコンテンツ再生装置は、音響信号と画像信号と字幕信号が多重化されたコンテンツデータを記憶するコンテンツデータ記憶手段と、前記コンテンツデータ記憶手段に記憶された前記コンテンツデータを再生する再生手段と、前記再生手段に前記コンテンツデータの再生を指示する操作手段と、前記画像信号と前記字幕信号を合成する画像合成手段と、を備え、前記再生手段は、前記コンテンツデータを字幕なしで再生しているときに、前記操作手段から所定時間前に戻って再生する指示があった場合、戻った時点からは前記画像合成手段により前記画像信号と前記字幕信号とが合成された字幕付きのコンテンツデータを再生する。
【００３４】
この構成により、例えばコンテンツデータを再生中に聞き返し操作が有った場合、聞き返し中のみ字幕を表示し、且つ聞き返し部分が終了したらそれまでの字幕を表示しないように戻る機能が実現可能となる。
【００３５】
また、上記第４のコンテンツ再生装置において、前記再生手段は、前記操作手段からコンテンツデータ再生中に同じ箇所で複数回所定時間前に戻って再生する指示があった場合、画像の表示方法が変更されたコンテンツデータを再生する。
【００３６】
この構成により、複数回聞き返しが行われる場合、その都度、画像の表示方法を変える機能が実現可能となる。
【００３７】
また、上記第４のコンテンツ再生装置において、前記再生手段は、前記操作手段からの指示で所定時間前に戻って、表示されていなかった字幕を表示して再生を行う場合で、前記コンテンツデータの再生位置が前記操作手段からの指示があった時刻に達した場合、前記画像合成手段による字幕信号の合成を停止する。
【００３８】
この構成により、聞き返しが行われる場合、聞き返し期間に字幕を表示する機能が実現可能となる。
【００３９】
また、上記第４のコンテンツ再生装置において、前記再生手段は、前記操作手段から字幕表示を行っているときでコンテンツデータ再生中に所定時間前に戻って再生する指示があった場合、字幕表示方法が変更されたコンテンツデータを再生する。
【００４０】
この構成により、聞き返しが行われる場合、字幕表示方法を変える機能が実現可能となる。
【００４１】
また、上記第４のコンテンツ再生装置において、前記再生手段は、前記操作手段からコンテンツデータ再生中に同じ箇所で複数回所定時間前に戻って再生する指示があった場合、字幕表示方法が変更されたコンテンツデータを再生する。
【００４２】
この構成により、複数回聞き返しが行われる場合、その都度、画像の字幕表示方法を変える機能が実現可能となる。
【発明の効果】
【００４３】
本発明によれば、例えば再生速度を速くしてコンテンツを聴取している場合に聞き返し操作を行っても、聞き返し再生中は今までよりも遅い再生速度で聴取することが可能で、音声情報をより聞き取りやすくすることが可能である。また、本発明によれば、一倍速でコンテンツを聴取している場合に聞き返し操作を行っても、聞き返し再生中は今までよりとは異なった周波数特性で聴取することが可能で、音声情報をより聞き取りやすくすることが可能である。
【発明を実施するための最良の形態】
【００４４】
以下、本発明を実施するための好適な実施の形態について、図面を参照して詳細に説明する。
【００４５】
（実施の形態１）
図１は、本発明の実施の形態１に係るコンテンツ再生装置の概略構成を示すブロック図である。図１において、本実施の形態に係るコンテンツ再生装置１００は、コンテンツデータ記録部１０１と、操作部１０２と、コントロール部１０３と、音響信号復号部１０４と、再生速度変換部１０５と、Ｄ／Ａ部１０６と、アンプ部１０７と、スピーカ部１０８とを有して構成される。なお、コンテンツ再生装置１００の各構成要素の実体については、論理回路を含む専用のハードウェアで構成することもできるし、マイクロプロセッサやＤＳＰ（Digital Signal Processor）のハードウェアとそれを制御するプログラムとの組み合わせにより実現することもできる。なお、また、本発明の実施の形態１に係るコンテンツ再生装置１００は音響信号を出力する手段としてスピーカ部１０８を設けた場合を例として説明したが、これに限定されるものでなく、例えばヘッドフォンであってもよい。
【００４６】
コンテンツデータ記録部１０１は、コンテンツデータＳ１０１を記録したランダムアクセス可能な記録媒体であり、半導体メモリやＣＤ−ＲＯＭやＤＶＤ−ＲＯＭなどが考えられる。操作部１０２は、ユーザがコンテンツ再生装置１００に対して指示を出すための操作部分であり、押下式のボタンや音声認識などを用いたユーザインターフェースなどが考えられる。ユーザが聞き返し操作を行った場合、ユーザ操作信号Ｓ１０２をコントロール部１０３に入力する。
【００４７】
コントロール部１０３は、コンテンツデータ記録部１０１内のコンテンツデータＳ１０１をランダムアクセス可能であり、また操作部１０２からの指示をもとにコンテンツデータ記録部１０１のコンテンツデータＳ１０１の任意の箇所を読み込んで音響符号化信号Ｓ１０３として音響信号復号部１０４に入力可能であり、またユーザ操作などの状況から適切な再生速度比を算出し再生速度変換部１０５に対して算出した再生速度比信号Ｓ１０４で再生速度を変更するよう指示する。
【００４８】
音響信号復号部１０４は、コントロール部１０３から受け取った音響符号化信号Ｓ１０３を復号音響信号Ｓ１０５に復号する。再生速度変換部１０５は、音響信号復号部１０４が出力した復号音響信号Ｓ１０５の再生速度を、コントロール部１０３が生成した再生速度比信号Ｓ１０４に従って変換し再生速度変換済み音響信号Ｓ１０６を生成する。Ｄ／Ａ部１０６は、再生速度変換部１０５が出力した再生速度変更済み音響信号Ｓ１０６をアナログ音響信号Ｓ１０７に変換する。アンプ部１０７は、Ｄ／Ａ部１０６が出力したアナログ音響信号Ｓ１０７を増幅済みアナログ音響信号Ｓ１０８に変換する。スピーカ部１０８は増幅済みアナログ音響信号Ｓ１０８を外部に出力する。
【００４９】
なお、コンテンツデータ記憶部１０１はコンテンツデータ記録手段に対応し、操作部１０２は操作手段に対応する。また、音響信号復号部１０４は音響復号手段に対応し、再生速度変換部１０５は再生速度変換手段に対応する。また、コントロール部１０３は制御手段に対応する。
【００５０】
次に、本実施の形態のコンテンツ再生装置１００の動作の一例について説明する。図２及び図３はコンテンツ再生装置１００の主要な動作の一例を示すフローチャート、図４はコンテンツ再生装置１００がどのようにコンテンツデータＳ１０１を処理するかを示す例の一つである。以下、例として図４に示したようにコンテンツデータＳ１０１を時刻０から１．３倍速で再生し、時刻Ａの時点で聞き返し操作を行い、その後コンテンツデータＳ１０１の最後まで再生を行った場合の動作について説明する。
【００５１】
再生開始時に、ステップＳＴ２０１でユーザが操作部１０２を用いて再生速度に関する設定を行う。例として、１．３倍速で再生する場合を説明すると、ユーザは操作部１０２を操作し１．３倍速で再生することをコントロール部１０３に対して指示する。この操作を行った場合、操作部１０２からコントロール部１０３に向けて、再生速度を１．３倍速にする指示を含んだユーザ操作信号Ｓ１０２が出力され、速度初期値に１．３倍速が設定される。
【００５２】
次に、ステップＳＴ２０２でコントロール部１０３は再生動作に関する初期設定を行う。本発明では聞き返し再生中か否かが重要であるので、最初に現時点では聞き返し再生中ではないことを設定する。この設定はコントロール部１０３が再生開始直後に自動的に行い記憶しているものとする。次に、コンテンツ再生装置１００は再生動作を行う。再生動作はステップＳＴ２０３からステップＳＴ２１７までを繰り返し行うことにより実現される。ステップＳＴ２０３からステップＳＴ２１７までの処理は、コンテンツデータＳ１０１を最後まで再生したか、ユーザが操作部１０２を通じて停止を指示するかまで繰り返し行われるものとする。
【００５３】
次に、ステップＳＴ２０４で、コントロール部１０３は現在聞き返し再生中かを判断する。この判断はコントロール部１０３が自動的に行う。聞き返し再生中であれば、ステップＳＴ２０８に移行し、そうでない場合はステップＳＴ２０５に移行する。この説明において、まだ聞き返し再生中ではないので、今はステップＳＴ２０５に移行したものとして説明を続ける。次に、ステップＳＴ２０５で、コントロール部１０３は操作部１０２を介してユーザが聞き返し操作を行ったかを判断し、聞き返し操作があった場合はステップＳＴ２０６に移行し、そうでない場合はステップＳＴ２１１に移行する。今はまだ聞き返し操作が行われていないものとし、ステップＳＴ２１１に移行したものとして説明を続ける。
【００５４】
次に、ステップＳＴ２１１で、コントロール部１０３はコンテンツデータＳ１０１内の再生すべき時刻の部分をコンテンツデータ記録部１０１から読み込み、音響符号化信号Ｓ１０３として音響信号復号部１０４に入力する。例えば、再生開始直後であればコンテンツデータの先頭部分を、１秒再生した後であればコンテンツデータＳ１０１内の１秒から後の部分を音響信号復号部１０４が音響符号化信号Ｓ１０３を生成するのに十分な量を読み込む。ユーザから再生時刻に関する特別な指示がない限り、次回ステップＳＴ２１１を行うときは前回読み込んだコンテンツデータＳ１０１の続きを読み込む。
【００５５】
次に、ステップＳＴ２１２で、音響信号復号部１０４で音響符号化信号Ｓ１０３から復号音響信号Ｓ１０５を生成する。次に、ステップＳＴ２１３で、再生速度変換部１０５で復号音響信号Ｓ１０５の速度を速度比変更信号Ｓ１０４に沿って変換し、再生速度変換済み音響信号Ｓ１０６を生成する。この時点では、速度比変更信号Ｓ１０４は速度初期値に設定されたままなので、１．３倍速に変換するものとする。次に、ステップＳＴ２１４で、Ｄ／Ａ部１０６で再生速度変更済み音響信号Ｓ１０６をアナログ音響信号Ｓ１０７に変換し、ステップＳＴ２１５で、アンプ部１０７でアナログ音響信号Ｓ１０７を増幅済みアナログ音響信号Ｓ１０８に変換し、ステップＳＴ２１６でスピーカ部１０８から増幅済みアナログ音響信号Ｓ１０８を外部に出力する。ステップＳＴ２１６まで処理が行われたら処理をステップＳＴ２０４に移行する。
【００５６】
ここで、図４で示した時刻Ａまで再生が行われ、ユーザが聞き返し操作を行ったため時刻Ｂまで時刻を遡って再生する場合について説明する。まずユーザが図４で示した時刻Ａにおいて聞き返し操作を行ったものとする。これはユーザが操作部１０２を操作することによって行われる。操作部１０２は聞き返し操作を指示する操作をされた場合、聞き返し操作を指示されたことをユーザ操作信号Ｓ１０２でコントロール部１０３に入力する。コントロール部１０３は聞き返し操作を指示されたことを記憶しておく。聞き返し操作はステップＳＴ２０４からステップＳＴ２１６のどのタイミングでも操作可能であるが、実際にその指示が反映されるのは次回のステップＳＴ２０５からである。
【００５７】
本説明では、例として聞き返し操作をステップＳＴ２０４の実行時に行われたものとし、ステップＳＴ２０４から説明を行う。ステップＳＴ２０４で、コントロール部１０３は現在聞き返し再生中かを判断する。本説明においてはまだ聞き返し再生中ではないので、ステップＳＴ２０５に移行したものとして説明を続ける。次に、ステップＳＴ２０５で、操作部１０２を介してユーザが聞き返し操作を行ったかを判断する。今は聞き返し操作が行われた場合を説明しているので、ステップＳＴ２０６に移行したものとして説明を続ける。次に、ステップＳＴ２０６で、コントロール部１０３は速度初期値よりも遅い再生速度比信号Ｓ１０４を再生速度変換部１０５に入力する。例として、速度初期値１．３倍速よりも遅い１倍速を再生速度比信号Ｓ１０４として再生速度変換部１０５に送信したものとする。今は例として再生速度を１倍としたが、速度初期値より遅い速度であればよい。
【００５８】
聞き返し中の再生速度の算出方法であるが、何かしらの計算式で算出してもよいし、予めコンテンツ再生装置１００内に、例えば「１．３倍速再生中の聞き返し操作の再生速度は１倍、１．５倍速再生中の聞き返し操作の再生速度は１．２倍」、という内容を記述した表データを保持していてもよい。
【００５９】
次に、ステップＳＴ２０７で、コントロール部１０３は現在聞き返し再生中であると記憶する。次に、ステップＳＴ２１１で、コントロール部１０３はコンテンツデータＳ１０１内の再生すべき時刻の部分をコンテンツデータ記録部１０１から読み込み、音響符号化信号Ｓ１０３として音響信号復号部１０４に入力する。ここでは聞き返し操作が行われたので、図４で示した時刻Ｂまで時間を遡って再生を行うものとするので、時刻Ｂから後の部分を音響信号復号部１０４が音響符号化信号Ｓ１０３を生成するのに十分な量を読み込む。
【００６０】
時刻Ａと時刻Ｂの関係であるが、例えば操作部１０２に聞き返しキーのような専用キーが存在する場合、そのキーを一度押すと数秒から数十秒分時間を遡るなどが考えられる。また、聞き返しキーのような専用キーを押している時間に比例して遡る時間を可変にしてもよい。また、聞き返しキーのような専用キーがなくても、通常の巻き戻しキーでの操作でも本発明の効果を有効にすることも考えられる。
【００６１】
次に、ステップＳＴ２１２で、音響信号復号部１０４で音響符号化信号Ｓ１０３から復号音響信号Ｓ１０５を生成する。次に、ステップＳＴ２１３で、再生速度変換部１０５で復号音響信号Ｓ１０５の速度を速度比変更信号Ｓ１０４に沿って変換し、再生速度変換済み音響信号Ｓ１０６を生成する。先に速度比変更信号Ｓ１０４は１倍に設定されたので１倍速に変換するものとする。次に、ステップＳＴ２１４で、Ｄ／Ａ部１０６で再生速度変更済み音響信号Ｓ１０６をアナログ音響信号Ｓ１０７に変換し、ステップＳＴ２１５で、アンプ部１０７でアナログ音響信号Ｓ１０７を増幅済みアナログ音響信号Ｓ１０８に変換し、ステップＳＴ２１６で、スピーカ部１０８から増幅済みアナログ音響信号Ｓ１０８を外部に出力する。ステップＳＴ２１６まで処理が行われたら処理をステップＳＴ２０４に移行する。
【００６２】
次に、ステップＳＴ２０４に処理が移行し、聞き返し再生中か否かの判定が行われる。ここでは聞き返し再生中なのでステップＳＴ２０８に処理が移行するが、聞き返し再生動作を行っている状態で図４に示す時刻Ａまで再生が行われない限り、速度比変更信号Ｓ１０４は１倍のままであり、またコントロール部１０３は現在は聞き返し再生中であると記憶し続ける。また、同様に聞き返し再生動作を行っている状態で図４に示す時刻Ａまで再生が行われるまでは、ステップＳＴ２０８の次の処理はステップＳＴ２１１となる。
【００６３】
ここで、聞き返し再生を行った結果、図４で示した時刻Ａまで再生が行われた場合について説明する。まずステップＳＴ２０４で、現在聞き返し再生中かを判断する。聞き返し再生中なので、ステップＳＴ２０８に移行したものとして説明を続ける。次に、ステップＳＴ２０８で、聞き返しを指定した時刻まで再生したかを判定する。現時点では図４に示す時刻Ａまで再生されているので、ステップＳＴ２０９に以降する。次に、ステップＳＴ２０９で、コントロール部１０３は速度初期値を再生速度比信号Ｓ１０４として再生速度変換部１０５に入力する。この時点で再生速度比信号Ｓ１０４は速度初期値の１．３倍となる。
【００６４】
次に、ステップＳＴ２１０で、コントロール部１０３は現在聞き返し再生中ではないということを記憶する。次に、ステップＳＴ２１１で、コントロール部１０３はコンテンツデータＳ１０１内の再生すべき時刻の部分をコンテンツデータ記録部１０１から読み込み、音響符号化信号Ｓ１０３として音響信号復号部１０４に入力する。ここでは聞き返し操作が終了したので、時刻Ｂから後の部分を音響信号復号部１０４が音響符号化信号Ｓ１０３を生成するのに十分な量を読み込む。次に、ステップＳＴ２１２で、音響信号復号部１０４で音響符号化信号Ｓ１０３から復号音響信号Ｓ１０５を生成する。
【００６５】
次に、ステップＳＴ２１３で、再生速度変換部１０５で復号音響信号Ｓ１０５の速度を速度比変更信号Ｓ１０４に従って変換し、再生速度変換済み音響信号Ｓ１０６を生成する。先に速度比変更信号Ｓ１０４は１．３倍に設定されたので１．３倍速に変換するものとする。次に、ステップＳＴ２１４で、Ｄ／Ａ部１０６で再生速度変更済み音響信号Ｓ１０６をアナログ音響信号Ｓ１０７に変換し、ステップＳＴ２１５で、アンプ部１０７でアナログ音響信号Ｓ１０７を増幅済みアナログ音響信号Ｓ１０８に変換し、ステップＳＴ２１６で、スピーカ部１０８から増幅済みアナログ音響信号Ｓ１０８を外部に出力する。ステップＳＴ２１６まで処理が行われたら処理をステップＳＴ２０４に移行する。
【００６６】
以上に示した通りの処理を行った場合、コンテンツデータＳ１０１がどのように再生されたかを図４及び図５を用いて説明する。
【００６７】
まず図４で示した区間１及び区間２は、１．３倍速で再生される。次に区間２については聞き返し再生により１倍で再生される。次に区間３は１．３倍速で再生される。これを時系列で並べた模式図が図５である。区間１は１．３倍速で一回再生され、区間２はまず１．３倍速で一回、聞き返し再生で１倍速で再生され、最後に区間３は１．３倍速で再生される。
【００６８】
このようなコンテンツ再生装置１００によれば、音響信号に含まれる音声情報を聞き逃した場合に聞き返し再生を行った場合、聞き返し再生中は自動的に再生速度が遅くなるため音声情報を聞き逃しにくくなる効果がある。また、聞き返し再生を指定した時刻で自動的に再生速度が聞き返し再生処理を行う前の再生速度に戻るため、聞き返しにより音声情報を聞き取った後に再生速度に関する操作が不要となる。
【００６９】
また、本実施の形態に対して、聞き返し操作が同じ箇所で繰り返された場合に再生速度を更に遅くする機能を組み合わせてもよい。２回聞き返し操作を同じ箇所で行った場合の動作の説明を図６及び図７を用いて説明する。
【００７０】
図６は動作の模式図で、時刻Ａで２回聞き返し操作が行われたことを示す。なお、実際の動作では時刻Ａに完全一致で聞き返し操作が行われた場合のみ有効というわけではなく、時刻Ａの前後数秒程度に聞き返し動作が再度行われた場合に複数回聞き返し操作が行われたと判断するのがよい。
【００７１】
図７は実際にコンテンツデータＳ１０１が再生される速度を示した模式図である。図７に示すように、聞き返し操作が行われる前の区間１７０１は１．３倍速で、１回目の聞き返し操作による聞き返し再生区間１７０２は１倍速で、２回目の聞き返し操作による聞き返し再生区間１７０３は０．８倍速で、聞き返し区間終了後の区間１７０４は元の１．３倍速で動作する。
【００７２】
このように、複数回聞き返し操作を行っているということは聞き取りづらい部分であると想定されるが、その部分を操作回数に応じて再生速度をだんだん遅くすることにより、より音声情報を聞き逃しにくくなる効果を得ることが可能である。
【００７３】
なお、本実施の形態において、聞き返し操作によって巻き戻される時間が異なる場合、その巻き戻される時間の長さに応じて再生速度を変更する機能を組み合わせてもよい。例えば、再生速度を１．５倍速で再生している最中に聞き返し操作により１０秒前まで戻った場合は１．１倍で、２０秒前まで戻った場合は１．３倍で再生する、という動作を行う。この動作により、長い時間戻された場合はある程度早い速度で再生することが可能となり、聞き返し操作によるコンテンツ聴取時間の削減が可能となる。
【００７４】
また、本実施の形態において、聞き返し操作による聞き返し再生区間が終了する時点での速度変更を急激に変更するのではなく、緩やかに変更する機能を組み合わせてもよい。つまり、図８で示したように、区間３０１と区間３０２のつなぎ目及び区間３０２と区間３０３のつなぎ目部分の再生速度を急激に変更するのではなく、緩やかに再生速度を変更する、という動作を行う。この動作により、聞き返し再生時に急激に再生速度が変更される違和感が緩和され、聴感上自然な聞き返し再生が可能となる。
【００７５】
また、本実施の形態では、ユーザ操作による聞き戻し操作を説明しているが、ユーザ操作ではなく例えばBluetooth（登録商標）などの無線機器接続でコンテンツを聴取している場合に、無線機器間の接続が切断された区間だけ聞き返し操作と同等の動作を行ってもよい。この場合、無線機器間の接続が切断された時刻が図４の時刻Ｂに、接続が再開した時刻が図４の時刻Ａに相当すると考えてよい。また本動作においては、聞き返し区間中つまり図４の区間３０２は区間３０１の再生速度から変えなくても構わない。
【００７６】
（実施の形態２）
また、本発明の実施の形態２に係るコンテンツ再生装置について、図面を参照しながら以下に説明する。
【００７７】
図９は、本発明の実施の形態２に係るコンテンツ再生装置の概略構成を示すブロック図である。図９において、コンテンツ再生装置５００は、コンテンツデータ記録部１０１と、操作部１０２と、コントロール部１０３と、音響信号復号部１０４と、周波数特性変換部５０５と、Ｄ／Ａ部１０６と、アンプ部１０７と、スピーカ部１０８とを有して構成される。なお、コンテンツ再生装置５００の各構成要素の実体については、論理回路を含む専用のハードウェアで構成することもできるし、マイクロプロセッサやＤＳＰのハードウェアとそれを制御するプログラムとの組み合わせにより実現することもできる。
【００７８】
コントロール部１０３は、再生速度比信号Ｓ１０４の代わりに周波数特性指示信号Ｓ５０４を、周波数特性変換部５０５に入力することが異なる以外は、コンテンツデータ記録部１０１、操作部１０２、コントロール部１０３、音響信号復号部１０４、Ｄ／Ａ部１０６、アンプ部１０７、スピーカ部１０８は本発明の実施の形態１のコンテンツ再生装置１００と同一なので説明を割愛する。
【００７９】
周波数特性変換部５０５は、音響信号復号部１０４が出力した復号音響信号Ｓ１０５の周波数特性を、コントロール部１０３が指示した周波数特性指示信号Ｓ５０４に従って変換し周波数特性変換済み音響信号Ｓ５０６を生成するものである。なお、周波数特性変換部５０５は周波数特性変換手段に対応する。
【００８０】
次に、本実施の形態のコンテンツ再生装置５００の動作の一例について説明する。図１０及び図１１はコンテンツ再生装置５００の主要な動作の一例を示すフローチャートである。
【００８１】
以下、例として図４に示したようにコンテンツデータＳ１０１を時刻０から再生し、時刻Ａの時点で聞き返し操作を行い、その後コンテンツデータＳ１０１の最後まで再生を行った場合の動作について説明する。
【００８２】
本実施の形態のコンテンツ再生装置５００の動作は実施の形態１のコンテンツ再生装置１００で説明に使用した図２及び図３内のステップＳＴ２０１がステップＳＴ６０１に、ステップＳＴ２０６がステップＳＴ６０６に、ステップＳＴ２０９がステップＳＴ６０９に、ステップＳＴ２１３がステップＳＴ６１３に置き換わっただけで、その他の処理は同一である。以降、置き換わった部分についてのみ説明する。
【００８３】
再生開始時に、ステップＳＴ６０１でユーザが操作部１０２を用いて再生時の周波数特性に関する設定を行う。例として、フラットな周波数特性で再生する場合を説明すると、ユーザは操作部１０２を操作しフラットな周波数特性で再生することをコンテンツ再生装置５００に対して指示する。この操作を行った場合、操作部１０２からコントロール部１０３に、周波数特性をフラットにする指示を含んだユーザ操作信号Ｓ１０２が入力され、周波数特性初期値にフラットな特性が設定される。
【００８４】
ステップＳＴ６０６では、コントロール部１０３は周波数特性初期値とは異なった周波数特性指示信号Ｓ５０４を周波数特性変換部５０５に入力する。この場合、聞き返し動作中なのでより人間の声が聞き取りやすい周波数特性に変更する。人間の声が聞き取りやすい周波数特性の一例として、図１２に示すように主に人間の音声帯域を通過するような周波数特性が考えられる。
【００８５】
ステップＳＴ６０９では、コントロール部１０３は周波数特性初期値を周波数特性指示信号Ｓ５０４として周波数変換部５０５に入力する。この時点で周波数特性指示信号Ｓ５０４は速度初期値のフラットな特性となる。ステップＳＴ６１３では、周波数特性変換部５０５で復号音響信号Ｓ１０５の周波数特性を周波数特性指示信号Ｓ５０４に従って変換し、周波数特性変換済み音響信号Ｓ５０６を生成する。本実施の形態においては、聞き返し再生中以外はフラットな特性、聞き返し再生中は図１２に示したような特性に変換する。
【００８６】
このようなコンテンツ再生装置５００によれば、音響信号に含まれる音声情報を聞き逃した場合に聞き返し再生を行った場合、聞き返し再生中は自動的に音声信号が聞き取りやすい周波数特性になるため音声情報を聞き逃しにくくなる効果がある。また、聞き返し再生を指定した時刻で自動的に周波数特性が聞き返し再生処理を行う前の周波数特性に戻るため、聞き返しにより音声情報を聞き取った後に周波数特性に関する操作が不要となる。
【００８７】
なお、本実施の形態において、聞き返し操作が同じ箇所で繰り返された場合に周波数特性を更に異なった特性に変更する機能を組み合わせてもよい。動作は実施の形態１で説明した内容の、再生速度が周波数特性に置き換わったものなので説明を割愛する。
【００８８】
また、本実施の形態において、聞き返し操作による聞き返し再生区間が終了する時点での周波数特性を急激に変更するのではなく、緩やかに変更する機能を組み合わせてもよい。動作は実施の形態１で説明した内容の、再生速度が周波数特性に置き換わったものなので説明を割愛する。
【００８９】
また、本実施の形態ではユーザ操作による聞き戻し操作を説明したが、ユーザ操作ではなく例えばBluetooth（登録商標）などの無線機器接続でコンテンツを聴取している場合に、無線機器間の接続が切断された区間だけ聞き返し操作と同等の動作を行ってもよい。この場合、無線機器間の接続が切断された時刻が図４の時刻Ｂに、接続が再開した時刻が図４の時刻Ａに相当すると考えてよい。また本動作においては、聞き返し区間中つまり図４の区間３０２は区間３０１の周波数特性から変えなくても構わない。
【００９０】
（実施の形態３）
また、本発明の実施の形態３に係るコンテンツ再生装置について、図面を参照しながら以下に説明する。
【００９１】
図１３は、本発明の実施の形態３に係るコンテンツ再生装置の概略構成を示すブロック図である。図１３において、本実施の形態のコンテンツ再生装置８００は、コンテンツデータ記録部１０１と、操作部１０２と、コントロール部１０３と、音響信号復号部１０４と、音量変換部８０５と、Ｄ／Ａ部１０６と、アンプ部１０７と、スピーカ部１０８とを有して構成される。なお、コンテンツ再生装置８００の各構成要素の実体については、論理回路を含む専用のハードウェアで構成することもできるし、マイクロプロセッサやＤＳＰのハードウェアとそれを制御するプログラムとの組み合わせにより実現することもできる。
【００９２】
コントロール部１０３は再生速度比信号Ｓ１０４の代わりに音量指示信号Ｓ８０４を音量変換部８０５に入力することが異なる以外は、コンテンツデータ記録部１０１、操作部１０２、コントロール部１０３、音響信号復号部１０４、Ｄ／Ａ部１０６、アンプ部１０７、スピーカ部１０８は実施の形態１のコンテンツ再生装置１００と同一なので説明を割愛する。音量変換部８０５は、音響信号復号部１０４が出力した復号音響信号Ｓ１０５の周波数特性を、コントロール部１０３が指示した音量指示信号Ｓ８０４に沿って変換し音量変換済み音響信号Ｓ８０６を生成する。なお、音量変換部８０５は音量変換手段に対応する。
【００９３】
次に、コンテンツ再生装置８００の動作の一例について説明する。図１４及び図１５はコンテンツ再生装置８００の主要な動作の一例を示すフローチャートである。以下、例として図４に示したようにコンテンツデータＳ１０１を時刻０から再生し、時刻Ａの時点で聞き返し操作を行い、その後コンテンツデータＳ１０１の最後まで再生を行った場合の動作について説明する。
【００９４】
本実施の形態のコンテンツ再生装置８００の動作は実施の形態１のコンテンツ再生装置１００で説明に使用した図２及び図３内のステップＳＴ２０１がステップＳＴ９０１に、ステップＳＴ２０６がステップＳＴ９０６に、ステップＳＴ２０９がステップＳＴ９０９に、ステップＳＴ２１３がステップＳＴ９１３に置き換わっただけで、その他の処理は同一である。以降、置き換わった部分についてのみ説明する。
【００９５】
再生開始時に、ステップＳＴ９０１でユーザが操作部１０２を用いて再生時の音量に関する設定を行う。例として、本コンテンツ再生装置８００がボリューム１から順番に音量が大きくなるボリューム１０までの１０段階のボリュームを持っていて、ユーザがボリューム５で再生する場合を説明すると、ユーザは操作部１０２を操作しボリューム５で再生することをコンテンツ再生装置１００に対して指示する。この操作を行った場合、操作部１０２からコントロール部１０３に、ボリュームを５にする指示を含んだユーザ操作信号Ｓ１０２が入力され、音量初期値にボリューム５が設定される。
【００９６】
ステップＳＴ９０６では、コントロール部１０３は音量初期値とは異なった音量指示信号Ｓ８０４を音量変換部６０５に送信する。この場合、聞き返し動作中なのでより人間の声が聞き取りやすいようより大きな音量に変更する。例えば、本説明では音量初期値がボリューム５だったので、音量指示信号Ｓ８０４はボリューム６に変更されるものとする。
【００９７】
ステップＳＴ９０９では、コントロール部１０３は音量初期値を音量指示信号Ｓ８０４として音量変換部８０５に入力する。この時点で音量信号Ｓ８０４は音量初期値のボリューム５となる。ステップＳＴ９１３では、音量変換部８０５で復号音響信号Ｓ１０５の音量を音量指示信号Ｓ８０４に従って変換し、音量変換済み音響信号Ｓ８０６を生成する。本実施の形態のコンテンツ再生装置８００においては、聞き返し再生中以外はボリューム５に、聞き返し再生中はボリューム６に相当する音量に変換する。
【００９８】
このようなコンテンツ再生装置８００によれば、音響信号に含まれる音声情報を聞き逃した場合に聞き返し再生を行った場合、聞き返し再生中は自動的に音声信号の音量が増幅されるため音声情報を聞き逃しにくくなる効果がある。また、聞き返し再生を指定した時刻で自動的に再生音量が聞き返し再生処理を行う前の音量に戻るため、聞き返しにより音声情報を聞き取った後に再生音量に関する操作が不要となる。
【００９９】
なお、本実施の形態において、聞き返し操作が同じ箇所で繰り返された場合に音量を更に大きくする機能を組み合わせてもよい。動作は実施の形態１で説明した内容の、再生速度が音量に置き換わったものなので説明を割愛する。
【０１００】
また、本実施の形態において、聞き返し操作による聞き返し再生区間が終了する時点での音量を急激に変更するのではなく、緩やかに変更する機能を組み合わせてもよい。動作は実施の形態１で説明した内容の、再生速度が音量に置き換わったものなので説明を割愛する。
【０１０１】
また、本実施の形態ではユーザ操作による聞き戻し操作を説明したが、ユーザ操作ではなく例えばBluetooth（登録商標）などの無線機器接続でコンテンツを聴取している場合に、無線機器間の接続が切断された区間だけ聞き返し操作と同等の動作を行ってもよい。この場合、無線機器間の接続が切断された時刻が図４の時刻Ｂに、接続が再開した時刻が図４の時刻Ａに相当すると考えてよい。また本動作においては、聞き返し区間中つまり図４の区間３０２は区間３０１の音量から変えなくても構わない。
【０１０２】
（実施の形態４）
また、本発明の実施の形態４に係るコンテンツ再生装置ついて、図面を参照しながら以下に説明する。
【０１０３】
図１６は、本発明の実施の形態４に係るコンテンツ再生装置の概略構成を示すブロック図である。図１６において、本実施の形態のコンテンツ再生装置１０００は、コンテンツデータ記録部１０１と、操作部１０２と、コントロール部１０３と、音響信号復号部１０４と、画像信号復号部１００１と、字幕画像信号復号部１００２と、画像信号合成部１００３と、Ｄ／Ａ部１０６と、アンプ部１０７と、スピーカ部１０８と、画像表示部１００４とを有して構成される。なお、コンテンツ再生装置１０００の各構成要素の実体については、論理回路を含む専用のハードウェアで構成することもできるし、マイクロプロセッサやＤＳＰのハードウェアとそれを制御するプログラムとの組み合わせにより実現することもできる。画像表示部１００４は、コンテンツ再生装置１０００によって生成された画像を表示する部分であり、液晶ディスプレイや有機ＥＬ（Electro Luminescence）ディスプレイなどが想定される。
【０１０４】
コンテンツデータ記録部１０１、操作部１０２、音響信号復号部１０４、Ｄ／Ａ部１０６、アンプ部１０７、スピーカ部１０８は実施の形態１のコンテンツ再生装置１００と同一なので説明を割愛する。コントロール部１０３は、コンテンツデータ記録部１０１内のコンテンツデータＳ１０１をランダムアクセス可能であり、また操作部１０２からの指示をもとにコンテンツデータ記録部１０１のコンテンツデータＳ１０１の任意の箇所を読み込んで音響符号化信号Ｓ１０３として音響信号復号部１０４に入力すること及び画像符号化信号Ｓ１００１を画像信号復号部１００１に入力すること及び字幕信号Ｓ１００２を字幕画像信号復号部１００２に入力することが可能であり、また音響信号復号部１０４と画像信号復号部１００１と字幕画像信号復号部１００２のそれぞれに対してどのように動作するかを指示し、さらにユーザ操作などの状況から字幕を表示するか否かを指示する字幕合成指示信号Ｓ１００５を画像信号合成部１００３に入力することが可能である、という機能を有する。
【０１０５】
画像信号復号部１００１は、コントロール部１０３が出力した画像符号化信号Ｓ１００１を復号し、復号画像信号Ｓ１００３として画像信号合成部１００３に入力する。字幕画像信号復号部１００２は、コントロール部１０３が出力した字幕信号Ｓ１００２を復号し、字幕画像信号Ｓ１００４として画像信号合成部１００３に入力する。画像信号合成部１００３は、画像信号復号部１００１が出力した復号画像信号Ｓ１００３と字幕画像信号復号部１００２が出力した字幕画像信号Ｓ１００４を一つの画面に表示できるよう合成し、それを合成画像信号Ｓ１００６として画像表示部１００４に入力する。
【０１０６】
画像信号復号部１００１は、コンテンツデータ再生中にコントロール部１０３から同じ箇所で一回あるいは複数回、少し前の時刻に戻って再生する指示があった場合、その指示の回数によって画像の表示方法を変更することが可能である。例えば、画像信号復号部１００１は、コンテンツデータ再生中にコントロール部１０３から現在より前の時刻に戻って再生する指示があった場合、繰り返して再生する区間の画像の明るさを繰り返し前よりも少し暗くするように画像を表示する。さらに、画像信号復号部１００１は、コンテンツデータ再生中にコントロール部１０３から同じ箇所で再度、現在より前の時刻に戻って再生する指示があった場合、繰り返して再生する区間の画像を繰り返し前よりもさらに暗くするように変更する。これにより、例えば画面に表示される字幕が、少し戻っての再生を繰り返す回数が増えるたびにより目立つような効果が得られ、結果的に字幕の情報を把握しやすくなるようにすることができる。字幕画像信号復号部１００２は、コントロール部１０３からの指示で少し前の時刻からこれまで表示していなかった字幕を表示しながら再生を行う場合で、コンテンツデータの再生位置がコントロール部１０３からの指示があった時刻に達した場合、字幕の表示を止めて再生を継続する。また、字幕画像信号復号部１００２は、既に字幕表示を行っている最中にコンテンツデータ再生中に少し前の時刻に戻って再生する指示があった場合、字幕表示方法を変更する。また、コンテンツデータ再生中に同じ箇所で複数回少し前の時刻に戻って再生する指示があった場合にはその指示の回数によって字幕表示方法を変更することが可能である。例えば、字幕画像信号復号部１００２は、コンテンツデータ再生中にコントロール部１０３から現在より前の時刻に戻って再生する指示があった場合、それまで字幕が表示されていなかった場合は字幕を表示し、既に字幕が表示されていた場合は例えば字幕の文字の大きさを大きくしたり字幕の文字の色をより目立つ色に変えたりして字幕表示を行う。さらに、画像信号復号部１００１は、コンテンツデータ再生中にコントロール部１０３から同じ箇所で再度、現在より前の時刻に戻って再生する指示があった場合、それまでの字幕の文字の大きさよりさらに大きくしたり字幕の文字の色をさらにより目立つ色に変えたりして字幕表示を行う。これにより、例えば画面に表示される字幕の文字が、少し戻っての再生を繰り返す回数が増えるたびにより目立つような効果が得られ、結果的に字幕の情報を把握しやすくなるようにすることができる。
【０１０７】
なお、画像信号復号部１００１は画像復号手段に対応し、字幕画像信号復号部１００２は字幕復号手段に対応し、画像信号合成部１００３は画像合成手段に対応する。
【０１０８】
次に、コンテンツ再生装置１０００の動作の一例について説明する。図１７及び図１８はコンテンツ再生装置１０００の主要な動作の一例を示すフローチャートである。以下、例として図４に示したようにコンテンツデータＳ１０１を時刻０から再生し、時刻Ａの時点で聞き返し操作を行い、その後コンテンツデータＳ１０１の最後まで再生を行った場合の動作について説明する。
【０１０９】
本実施の形態のコンテンツ再生装置１０００の動作は実施の形態１のコンテンツ再生装置１００で説明に使用した図２及び図３内のステップＳＴ２０１及びステップＳＴ２１３を削除、ステップＳＴ２０６がステップＳＴ１１０６に置き換え、ステップＳＴ２０９がステップＳＴ１１０９に置き換え、ステップＳＴ２１６とステップＳＴ２１７の処理の間にステップＳＴ１１１８及びステップＳＴ１１１９及びステップＳＴ１１２０及びステップＳＴ１１２１及びステップＳＴ１１２２及びステップＳＴ１１２３が追加したものであり、その他の処理は同一である。以降、変更された部分についてのみ説明する。
【０１１０】
図２において説明したステップＳＴ２０１については、本実施の形態のコンテンツ再生装置１０００は再生速度を変更するものではないため不要となる。ステップＳＴ１１０６では、コントロール部１０３は画像信号合成部１００３に対して復号画像信号Ｓ１００３と字幕画像信号Ｓ１００４を合成するよう字幕合成指示信号Ｓ１００５で指示する。字幕合成指示信号Ｓ１００５は２値の値をとり、例えば値が１の場合は字幕を合成する指示、値が０の場合は字幕を合成しない、という意味を持つとする。この場合、コントロール部１０３から出力される字幕合成指示信号Ｓ１００５の値は１である。
【０１１１】
ステップＳＴ１１０９では、コントロール部１０３は画像信号合成部１００３に対して復号画像信号Ｓ１００３と字幕画像信号Ｓ１００４を合成しないよう字幕合成指示信号Ｓ１００５で指示する。この場合、送信される字幕合成指示信号Ｓ１００５の値は０である。図３において説明したステップＳＴ２１３については、本実施の形態のコンテンツ再生装置１０００は再生速度を変更するものではないため不要となる。ステップＳＴ１１１８では、コントロール部１０３がコンテンツデータＳ１０１の適切な部分をコンテンツデータ記録部１０１から読み込み、画像符号化信号Ｓ１００１として画像信号復号部１００１に入力する。画像符号化信号Ｓ１００１とは画像を圧縮した信号であり、例えばＨ.２６４などで符号化された情報を指す。ステップＳＴ１１１９では、コントロール部１０３はコンテンツデータＳ１０１の適切な部分をコンテンツデータ記録部１０１から読み込み、字幕信号Ｓ１００２として字幕画像信号復号部１００２に入力する。字幕信号Ｓ１００２とは、例えば台詞の内容を記述した文字列を情報化したものである。
【０１１２】
ステップＳＴ１１２０では、画像信号復号部１００１で画像符号化信号Ｓ１００１から復号画像信号Ｓ１００３を生成する。ステップＳＴ１１２１では、字幕画像信号復号部１００２で字幕信号Ｓ１００２から字幕画像信号Ｓ１００４を生成する。ステップＳＴ１１２２では、コントロール部１０３から字幕合成を行うよう指示がされている場合、画像信号合成部１００３で復号画像信号Ｓ１００３と字幕画像信号Ｓ１００４を合成し、合成画像信号Ｓ１００６として画像表示部１００４に入力する。ステップＳＴ１１２３では、合成画像信号Ｓ１００６を画像表示部１００４で表示する。ステップＳＴ１１２３の終了後、ステップＳＴ２１７に制御を移行し、以後繰り返し動作を行う。
【０１１３】
今まで説明してきた動作で、画像表示部１００５にどのような画像が表示されるかを説明する。説明の前に説明に必要な図１９から図２１までの説明を行う。図１９は聞き返し操作の模式図である。１２０１及び１２０２が聞き返し操作前の通常再生区間を示す。１２０３は聞き返し操作を行った後の聞き返し区間を示す。１２０４は聞き返し操作を行った後の、聞き返し区間を過ぎた部分の通常再生区間を示す。図２０はコンテンツデータＳ１０１を再生したときに表示される画像の模式図である。この画像は図２０の画像信号復号部１００１で生成される。図２０の（ａ）は図１９の区間１２０１の画像、図２０の（ｂ）は図１９の区間１２０２及び１２０３の画像、図２０の（ｃ）は図１９の区間１２０４の画像である。図２１はコンテンツデータＳ１０１を再生したときに表示される画像の模式図である。この画像は図１６の字幕画像信号復号部１００２で生成される。図２１で示すとおり、図１９の区間１２０１では「では」という文字列が、図１９の区間１２０２及び１２０３では「小机町集合で」の文字列が、図１９の区間１２０４では「よろしく」の文字列が、各区間で字幕表示をオンにした場合に表示されるものである。
【０１１４】
次に、図２２を用いて、実際にどのように動作するかを説明する。まず、再生開始から聞き返し操作が行われる図１９の時刻Ａまでは字幕表示は行われない。そのため、表示される画像は図１９の区間１２０１では図２２の（ａ）が、区間１２０２では図２２の（ｂ）が表示される。この場合、図２２の（ａ）は図２０の（ａ）と、図２２の（ｂ）は図２０の（ｂ）と、それぞれ等価な画像である。
【０１１５】
次に、図１９の時刻Ａで聞き返し操作が行われた場合の、聞き返し中の動作について説明する。聞き返し区間中は字幕が表示される。そのため、表示される画像は図１９の区間１２０３では図２２の（ｃ）が表示される。この場合、図２２の（ｃ）は、図２０の（ｂ）と図２１で示した１２０２区間で表示されるべき字幕文字列を合成したものとなる。
【０１１６】
次に、聞き返し操作後に再び図１９の時刻Ａまで到達し、その後通常再生が行われている状態での動作を説明する。聞き返し区間が終了した場合は通常再生に戻るため字幕が表示されない。そのため、表示される画像は図１９の区間１２０４では図２２の（ｄ）が表示される。この場合、図２２の（ｄ）は図２０の（ｃ）と等価な画像となる。
【０１１７】
このようなコンテンツ再生装置１０００によれば、音響信号に含まれる音声情報を聞き逃した場合に聞き返し再生を行った場合、聞き返し再生中は自動的に字幕表示が行われるため、音声情報を理解しやすくなる効果がある。また、聞き返し再生を指定した時刻で自動的に字幕表示がオフされるため、聞き返しにより音声情報を聞き取った後に字幕表示に関する操作が不要となる。
【０１１８】
なお、本実施の形態において、既に字幕表示をオンにして再生している場合に聞き返し操作が行われた場合、字幕の表示方法を変更する機能を組み合わせてもよい。
【０１１９】
図２３の（ａ）は図１９の区間１２０１の画像、図２３の（ｂ）は図１９の区間１２０２の画像、図２３の（ｃ）は図１９の１２０３の画像、図２３の（ｄ）は図１９の区間１２０４の画像である。図２３の（ｃ）に示すように、聞き返し区間中の字幕だけ大きく表示することにより、情報の理解度を高めることが可能となる。
【０１２０】
また、本実施の形態において、聞き返し操作が行われた場合、より字幕情報が目立つよう画像の表示方法を変更する機能を組み合わせてもよい。例えば画像信号合成部１００３で画像を合成する際に、復号画像信号Ｓ１００３で表示される画像の明るさを暗くするなどの処理を行うことにより、字幕の表示が目立つようになる効果が得られる。
【０１２１】
また、本実施の形態では、ユーザ操作による聞き戻し操作を説明したが、ユーザ操作ではなく例えばBluetooth（登録商標）などの無線機器接続でコンテンツを聴取している場合に、無線機器間の接続が切断された区間だけ聞き返し操作と同等の動作を行ってもよい。この場合、無線機器間の接続が切断された時刻が図４の時刻Ｂに、接続が再開した時刻が図４の時刻Ａに相当すると考えてよい。また本動作においては、聞き返し区間中つまり図４の区間３０２は区間３０１の画像表示状態から変えなくても構わない。
【産業上の利用可能性】
【０１２２】
本発明は、音響符号化方式を再生するコンテンツ再生装置及び音響符号化方式及び字幕情報付画像符号化方式を再生するコンテンツ再生装置等として有用であり、例えばデジタルテレビ放送を受信するテレビ受像機、デジタル放送を受信する機能を備えた携帯電話端末、デジタルオーディオ機器、ボイスレコーダ機器等に有用である。
【図面の簡単な説明】
【０１２３】
【図１】本発明の実施の形態１に係るコンテンツ再生装置の概略構成を示すブロック図
【図２】本発明の実施の形態１に係るコンテンツ再生装置における主要な動作の一例を示すフローチャート
【図３】本発明の実施の形態１に係るコンテンツ再生装置における主要な動作の一例を示すフローチャート
【図４】本発明の実施の形態１に係るコンテンツ再生装置の再生手順の模式例を示す図
【図５】本発明の実施の形態１に係るコンテンツ再生装置の再生信号を時系列に模式した図
【図６】本発明の実施の形態１に係るコンテンツ再生装置で複数回聞き返し操作を行った場合の再生手順の模式例を示す図
【図７】本発明の実施の形態１に係るコンテンツ再生装置で複数回数聞き返し操作を行った場合の再生信号を時系列に模式した図
【図８】本発明の実施の形態１に係るコンテンツ再生装置で聞き返し操作を行った場合の再生信号と再生速度の関係を時系列に模式した図
【図９】本発明の実施の形態２に係るコンテンツ再生装置の概略構成を示すブロック図
【図１０】本発明の実施の形態２に係るコンテンツ再生装置における主要な動作の一例を示すフローチャート
【図１１】本発明の実施の形態２に係るコンテンツ再生装置における主要な動作の一例を示すフローチャート
【図１２】本発明の実施の形態２に係るコンテンツ再生装置で処理を行った後の周波数特性を示す模式図
【図１３】本発明の実施の形態３に係るコンテンツ再生装置の概略構成を示すブロック図
【図１４】本発明の実施の形態３に係るコンテンツ再生装置における主要な動作の一例を示すフローチャート
【図１５】本発明の実施の形態３に係るコンテンツ再生装置における主要な動作の一例を示すフローチャート
【図１６】本発明の実施の形態４に係るコンテンツ再生装置の概略構成を示すブロック図
【図１７】本発明の実施の形態４に係るコンテンツ再生装置における主要な動作の一例を示すフローチャート
【図１８】本発明の実施の形態４に係るコンテンツ再生装置における主要な動作の一例を示すフローチャート
【図１９】本発明の実施の形態４に係るコンテンツ再生装置の再生手順の模式例を示す図
【図２０】本発明の実施の形態４に係るコンテンツ再生装置で聞き返し操作を行わなかった場合の復号画像を示す模式図
【図２１】本発明の実施の形態４に係るコンテンツ再生装置の復号字幕情報を示す模式図
【図２２】本発明の実施の形態４に係るコンテンツ再生装置で聞き返し操作を行った場合の復号画像を示す模式図
【図２３】本発明の実施の形態４に係るコンテンツ再生装置で聞き返し操作を行った場合の復号画像を示す模式図
【符号の説明】
【０１２４】
１００、５００、８００、１０００  コンテンツ再生装置
１０１  コンテンツデータ記録部
１０２  操作部
１０３  コントロール部
１０４  音響信号復号部
１０５  再生速度変換部
１０６  Ｄ／Ａ部
１０７  アンプ部
１０８  スピーカ部
５０５  周波数特性変換部
８０５  音量変換部
１００１  画像信号復号部
１００２  字幕画像信号復号部
１００３  画像信号合成部
１００４  画像表示部
【図１】
2010002841.tif 000003
【図２】
2010002841.tif 000004
【図３】
2010002841.tif 000005
【図４】
2010002841.tif 000006
【図５】
2010002841.tif 000007
【図６】
2010002841.tif 000008
【図７】
2010002841.tif 000009
【図８】
2010002841.tif 000010
【図９】
2010002841.tif 000011
【図１０】
2010002841.tif 000012
【図１１】
2010002841.tif 000013
【図１２】
2010002841.tif 000014
【図１３】
2010002841.tif 000015
【図１４】
2010002841.tif 000016
【図１５】
2010002841.tif 000017
【図１６】
2010002841.tif 000018
【図１７】
2010002841.tif 000019
【図１８】
2010002841.tif 000020
【図１９】
2010002841.tif 000021
【図２０】
2010002841.tif 000022
【図２１】
2010002841.tif 000023
【図２２】
2010002841.tif 000024
【図２３】
2010002841.tif 000025